(57)【要約】【課題】より簡便な機構によって、撮影装置の筐体の内部空間内の異物を排出する。【解決手段】デジタルカメラ２０は、移動レンズの移動により生じる圧力変化によって外部空間から内部空間１２へ空気を流入可能な流入部６１と、レンズユニット２１の移動レンズの移動により生じる圧力変化によって内部空間１２から外部空間へ空気を排出可能な排出部６５を有している。流入部６１は、イメージセンサー５１の上部に隣接して配設されている。この流入部６１には、内部空間１２側へ空気を流入可能に開放する逆止弁である流入弁が設けられている。また、排出部６５は、イメージセンサー５１の下部に隣接して配設されている。この排出部６５には、外部空間側へ空気を排出可能に開放する逆止弁である排出弁が設けられている。【選択図】図１
2012189763.tif 000002
【特許請求の範囲】
【請求項１】
軸方向に移動可能なレンズを備えたレンズ筒を装着及び取外し可能な取付部と、
前記取付部で開口している、筐体の内部空間に配設され前記レンズを通った光により撮影を行う撮影センサーと、
前記レンズの移動により生じる圧力変化によって前記内部空間から弁を通過して外部空間へ空気を排出可能な排出部と、
を備えた撮影装置。
【請求項２】
前記排出部は、前記撮影センサーに隣接して前記内部空間に配設されている、請求項１に記載の撮影装置。
【請求項３】
請求項１又は２に記載の撮影装置であって、
前記撮影センサーに隣接して前記内部空間に配設され、前記レンズの移動により生じる圧力変化によって外部空間から弁を通過して前記内部空間へ空気を流入可能な流入部、を備えた撮影装置。
【請求項４】
前記流入部は、集塵する集塵部が配設されており、該集塵部を通過した空気を前記内部空間へ流入可能である、請求項３に記載の撮影装置。
【請求項５】
前記弁は、逆止弁である、請求項１〜４のいずれか１項に記載の撮影装置。
【請求項６】
前記排出部は、前記レンズの移動により生じる圧力変化によって外部空間から前記内部空間へ空気を流入可能な流入部としても機能する、請求項１又は２に記載の撮影装置。
【請求項７】
請求項１〜６のいずれか１項に記載の撮影装置であって、
前記取付部に装着された前記レンズを移動させることにより前記内部空間に圧力変化を生じさせるレンズ移動制御部、を備えた撮影装置。
【請求項８】
軸方向に移動可能なレンズを備えたレンズ筒を装着及び取外し可能な取付部と、前記取付部で開口している、筐体の内部空間に配設され前記レンズを通った光により撮影を行う撮影センサーと、前記レンズの移動により生じる圧力変化によって前記内部空間から外部空間へ空気を排出可能な排出部と、を備えた撮影装置の制御方法であって、
前記取付部に装着された前記レンズを移動させることにより前記内部空間に圧力変化を生じさせるステップ、
を含む撮影装置の制御方法。
【発明の詳細な説明】
【技術分野】
【０００１】
本発明は、撮影装置及びその制御方法に関する。
【背景技術】
【０００２】
従来、撮影装置としては、ＣＣＤの上辺及び下辺に給送ダクトを排出ダクトとを対向して配置し、給送ダクトには圧縮エアーボンベが連通しており、電源投入時や撮影動作終了ごとに給送ダクトから空気をＣＣＤに吹きかけ、ＣＣＤ面の塵埃を除去するものが提案されている（例えば、特許文献１参照）。
【先行技術文献】
【特許文献】
【０００３】
【特許文献１】特開２００３−３１９２１９号公報
【発明の概要】
【発明が解決しようとする課題】
【０００４】
しかしながら、上述の装置では、筐体の内部空間内から塵埃を除去しないため、塵埃が再度ＣＣＤ面に付着する可能性があった。
【０００５】
本発明は、このような課題に鑑みなされたものであり、より簡便な機構によって、筐体の内部空間内の異物を排出することができる撮影装置及びその制御方法を提供することを主目的とする。
【課題を解決するための手段】
【０００６】
本発明は、上述の主目的を達成するために以下の手段を採った。
【０００７】
本発明の撮影装置は、
軸方向に移動可能なレンズを備えたレンズ筒を装着及び取外し可能な取付部と、
前記取付部で開口している、筐体の内部空間に配設され前記レンズを通った光により撮影を行う撮影センサーと、
前記レンズの移動により生じる圧力変化によって前記内部空間から弁を通過して外部空間へ空気を排出可能な排出部と、
を備えたものである。
【０００８】
この撮影装置では、レンズの移動に応じて生じた内部空間の圧力変化によって内部空間から外部空間へ空気を排出する。このように、レンズの移動を利用することにより、内部空間の空気を外部空間へ排出することができる。したがって、より簡便な機構によって、内部空間内の異物を排出することができる。
【０００９】
本発明の撮影装置において、前記排出部は、前記撮影センサーに隣接して前記内部空間に配設されているものとしてもよい。こうすれば、撮影センサーの近傍にある異物を排出しやすい。ここで、「隣接」とは、撮影センサーに接触した空気が排出部へ流入する程度に近傍にあることをいい、排出部と撮影センサーとが接していてもよいし、排出部と撮影センサーとが接していなくても構わない。
【００１０】
本発明の撮影装置において、前記排出部は、前記弁として前記外部空間側へ空気を排出可能に開放する逆止弁を備えているものとしてもよい。こうすれば、外部からの異物の侵入をより抑制することができる。
【００１１】
本発明の撮影装置は、前記撮影センサーに隣接して前記内部空間に配設され、前記レンズの移動により生じる圧力変化によって外部空間から弁を通過して前記内部空間へ空気を流入可能な流入部、を備えたものとしてもよい。こうすれば、撮影センサー近傍に存在する異物を排除しやすい。ここで、「隣接」とは、流入部からの空気が撮影センサーに吹きかかる程度に近傍にあることをいい、流入部と撮影センサーとが接していてもよいし、流入部と撮影センサーとが接していなくても構わない。このとき、前記流入部は、前記弁として前記内部空間側へ空気を流入可能に開放する逆止弁を備えているものとしてもよい。こうすれば、外部からの異物の侵入をより抑制することができる。また、前記流入部は、集塵する集塵部が配設されており、該集塵部を通過した空気を前記内部空間へ流入可能であるものとしてもよい。こうすれば、外部からの異物の侵入をより抑制することができる。
【００１２】
本発明の撮影装置において、前記排出部は、前記レンズの移動により生じる圧力変化によって外部空間から前記内部空間へ空気を流入可能な流入部としても機能するものとしてもよい。こうすれば、排出部と流入部とが１つの部材でよいため、更に簡便な機構によって、内部空間内の異物を排出することができる。
【００１３】
本発明の撮影装置は、前記取付部に装着された前記レンズを移動させることにより前記内部空間に圧力変化を生じさせるレンズ移動制御部、を備えたものとしてもよい。こうすれば、簡便な機構により、自動で内部空間内の異物を排出することができる。このとき、前記レンズ移動制御部は、所定の強制排出タイミングで前記レンズを移動させるものとしてもよい。ここで、「所定の強制排出タイミング」には、例えば、電源を入れた直後や電源を切った直後、レンズ筒を交換した直後や、定期的な期間が経過したタイミング（例えば、１週間ごと、１月ごとなど）などが含まれる。
【００１４】
なお、本発明の撮影装置において、前記排出部は、前記内部空間側に設けられた流出口と前記外部空間側に設けられた排出口とを有し、前記撮影装置の筐体の下部領域に前記排出口が配設されているものとしてもよい。このとき、前記流出口が前記撮影センサーに隣接して設けられているものとしてもよい。また、前記流入部は、前記外部空間側に設けられた流入口と前記内部空間側に設けられた吐出口とを有し、前記撮影装置の筐体の上部領域に前記流入口が配設されているものとしてもよい。このとき、前記吐出口が前記撮影センサーに隣接して設けられているものとしてもよい。また、前記排出部が有する流出口は、前記流入部が有する吐出口よりも大きく開口しているものとしてもよい。こうすれば、より容易に内部空間の空気を外部空間へ排出することができる。あるいは、吐出口での空気流速が比較的高まるため、より容易に撮影センサー近傍の異物を除去することができる。
【００１５】
あるいは、本発明の撮影装置は、軸方向に移動可能なレンズを備えたレンズ部と、前記レンズ側に導通する、筐体の内部空間に配設され前記レンズを通った光により撮影を行う撮影センサーと、前記レンズの移動により生じる圧力変化によって前記内部空間から外部空間へ空気を排出可能な排出部と、を備えたものとしてもよい。この撮影装置では、レンズの移動に応じて生じた内部空間の圧力変化によって内部空間から外部空間へ空気を排出する。このように、レンズの移動を利用することにより、内部空間の空気を外部空間へ排出することができる。したがって、より簡便な機構によって、内部空間内の異物を排出することができる。なお、この撮影装置において、上述した撮影装置の種々の態様を採用してもよいし、また、上述した撮影装置の各機能を実現するような構成を追加してもよい。
【００１６】
本発明の撮影装置の制御方法は、
軸方向に移動可能なレンズを備えたレンズ筒を装着及び取外し可能な取付部と、前記取付部で開口している、筐体の内部空間に配設され前記レンズを通った光により撮影を行う撮影センサーと、前記レンズの移動により生じる圧力変化によって前記内部空間から外部空間へ空気を排出可能な排出部と、を備えた撮影装置の制御方法であって、
前記取付部に装着された前記レンズを移動させることにより前記内部空間に圧力変化を生じさせるステップ、
を含むものとしてもよい。
【００１７】
この撮影装置の制御方法は、上述した撮影装置と同様に、レンズの移動を利用することにより、内部空間の空気を外部空間へ排出することができる。したがって、より簡便な機構によって、内部空間内の異物を排出することができる。なお、この撮影装置の制御方法において、上述した撮影装置の種々の態様を採用してもよいし、また、上述した撮影装置の各機能を実現するようなステップを追加してもよい。
【００１８】
本発明のプログラムは、上述した撮影装置の制御方法の各ステップを１以上のコンピューターに実現させるためのものである。このプログラムは、コンピューターが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピューターから別のコンピューターへ配信されてもよいし、その他どのような形で授受されてもよい。このプログラムを一つのコンピューターに実行させるか又は複数のコンピューターに各ステップを分担して実行させれば、上述した撮影装置の制御方法の各ステップが実行されるため、該制御方法と同様の作用効果が得られる。
【図面の簡単な説明】
【００１９】
【図１】デジタルカメラ２０の構成の概略を示す構成図。
【図２】デジタルカメラ２０の断面図。
【図３】強制排出処理ルーチンの一例を示すフローチャート。
【図４】強制排出処理でのデジタルカメラ２０の動作の説明図。
【図５】強制排出処理でのデジタルカメラ２０Ｂの動作の説明図。
【図６】デジタルカメラ２０Ｃの断面図。
【発明を実施するための形態】
【００２０】
次に、本発明の実施の形態を図面に基づいて説明する。図１は本発明の一実施形態であるデジタルカメラ２０の構成の概略を示す構成図、図２はデジタルカメラ２０の断面図であり、図２（ａ）が図１のＡ−Ａ断面図であり、図２（ｂ）が図１のＢ−Ｂ断面図である。本実施形態のデジタルカメラ２０は、図１に示すように、被写体からの光を入射するレンズユニット２１と、画像を表示する表示部２５と、ユーザーからの入力を受け付ける操作部３０と、メモリーカードＭＣとのデータのやりとりを行うメモリーカードコントローラー３６と、装置全体を制御するメインコントローラー４０と、撮影を実行する撮像部５０と、デジタルカメラ２０の筐体１１の内部空間１２から空気を強制排出させる強制排出機構６０とを備えている。
【００２１】
レンズユニット２１は、レンズマウントである取付部５６を介して装着及び取外し可能にデジタルカメラ２０の筐体１１に取り付けられている。このレンズユニット２１は、凸レンズと凹レンズとを組み合わせて構成され、その一部がレンズ筒の内部を軸方向に移動可能に構成されたレンズ群２２と、光量を調節する絞り機構２３と、図示しないモーターの駆動によりレンズ群２２を移動させるレンズ駆動部２４とを備えている。レンズ群２２は、レンズユニット２１のレンズ筒の前方側に固定された固定レンズ２２ａと、レンズ筒の後方側（取付部５６側）にレンズ駆動部２４に導かれて前後に移動可能に支持された移動レンズ２２ｂとを有している。このレンズユニット２１は、レンズ駆動部２４により移動レンズ２２ｂを移動させて自動ズームや自動フォーカスを行う形式のユニットとして構成されている。なお、レンズユニット２１のレンズ群２２のうち、最も後方のレンズは移動レンズ２２ｂである。このレンズユニット２１において、移動レンズ２２ｂの後部側の空間は、取付部５６に取り付けられると、取付部５６側で開口する筐体１１の内部空間１２と高い機密性をもって連通する。レンズ駆動部２４は、撮像部５０のレンズ制御部５３と電気的に接続されており、レンズ制御部５３からの信号に応じて移動レンズ２２ｂなどを駆動制御する。
【００２２】
表示部２５は、ファインダー画像撮像部５４のイメージセンサーで得られたファインダー画像を表示するＥＶＦ（Ｅｌｅｃｔｒｏｎｉｃ  Ｖｉｅｗ  Ｆｉｎｄｅｒ）２６と、各種設定画面や、レンズユニット２１から得られる撮影画像を表示するモニター２８とを備えている。
【００２３】
操作部３０は、デジタルカメラ２０を起動、終了する際に押下される電源キー３２や、ユーザの操作によって押下されるとレンズユニット２１を通じてイメージセンサー５１上に結像した画像を取り込むタイミングをメインコントローラー４０へ出力するシャッターキー３４などを含む。シャッターキー３４は、ユーザの操作によって半押しや全押しが可能であり、半押し状態では半押し信号をメインコントローラー４０へ出力し、半押し状態後に全押しすることにより全押し信号をメインコントローラー４０へ出力する。なお、図示しないが、操作部３０には、その他に、ズームイン、ズームアウトなどのズーム動作を行う際に押下されるズームキーや、撮影モードを設定可能なダイヤルスイッチ、シャッタスピードを設定するボタン、ホワイトバランスを設定するためのボタン、レンズの絞りを設定するボタン、露出補正値を設定するボタンなど撮影に必要な一連の設定を行うためのボタンが配設されている。
【００２４】
メモリーカードコントローラー３６は、メモリーカードＭＣに記憶された画像データを読み出したり、撮像部５０で生成された画像データをメモリーカードＭＣに書き込む処理などを実行する。
【００２５】
メインコントローラー４０は、ＣＰＵ４２を中心とするマイクロプロセッサとして構成されており、処理プログラムや各種テーブルを記憶するフラッシュメモリー４３と、データを一時的に記憶するＲＡＭ４４と、外部機器とのデータのやりとりを行うインターフェイス（Ｉ／Ｆ）４５とを備えている。メインコントローラー４０には、操作部３０からの各種の入力信号や、メモリーカードＭＣから読み出した各種データ、撮像部５０からの各種信号などが入力される。また、メインコントローラー４０からは、メモリーカードＭＣへ書き込む各種データ、表示部２５への信号などが出力される。
【００２６】
撮像部５０は、レンズユニット２１を通った光により撮影を行うイメージセンサー５１や、電気信号から画像データを生成する画像生成部５２、レンズユニット２１を制御するレンズ制御部５３、ファインダー画像を生成するファインダー画像撮像部５４、画像撮影に用いられる構造などを含む撮像機構５５、などを備えている。イメージセンサー５１は、光を光電変換によって電気信号に変換するセンサーであり、図２に示すように、取付部５６で開口している、筐体１１の内部空間１２に配設されている。このイメージセンサ５１は、マトリックス状に配置された複数のフォトダイオードと、各フォトダイオードごとに形成されフォトダイオードから受け取った電荷を転送するＣＣＤとを備えている。なお、イメージセンサとしては、ＣＭＯＳ型のイメージセンサを採用してもよい。画像生成部５２は、イメージセンサー５１から出力された電気信号をデジタル信号に変換するアナログフロントエンド（ＡＦＥ）や、ホワイトバランス処理やシャープネス処理やガンマ補正処理などを行いデジタル信号から画像データを生成する処理実行部などを備えている。レンズ制御部５３は、レンズ駆動部２４を駆動制御し、移動レンズ２２ｂの前後移動などを実行させる機能を有している。このレンズ制御部５３は、取付部５６に装着されたレンズユニット２１の移動レンズ２２ｂを移動させることにより内部空間１２に圧力変化を生じさせることができる。例えば、移動レンズ２２ｂを前方に移動したときには内部空間１２が減圧し、移動レンズ２２ｂを後方に移動したときには内部空間１２が加圧される。ファインダー画像撮像部５４は、ファインダー用イメージセンサーを備え、ファインダー用の画像を生成する。撮像機構５５は、例えば、レンズユニット２１を筐体１１へ固定する取付部５６や、レンズユニット２１とイメージセンサー５１との間に配置されたシャッター５７などを含んでいる。
【００２７】
強制排出機構６０は、図２に示すように、内部空間１２に配設されレンズユニット２１の移動レンズ２２ｂの移動により生じる圧力変化によって外部空間から内部空間１２へ空気を流入可能な流入部６１と、レンズユニット２１の移動レンズ２２ｂの移動により生じる圧力変化によって内部空間１２から外部空間へ空気を排出可能な排出部６５を有している。流入部６１は、外部空間側に設けられた流入口６１ａと、内部空間１２側に設けられた吐出口６１ｂと、流入口６１ａと吐出口６１ｂとを繋ぐ流路である流入流路６２とを有している。流入口６１ａは、デジタルカメラ２０の筐体１１の上部領域、例えば、デジタルカメラ２０の上面に配設されている。吐出口６１ｂは、イメージセンサー５１よりも大きい幅の矩形のスリット形状に形成されており、イメージセンサー５１の上部に隣接し、吐出口６１ｂから吐出される空気がイメージセンサー５１に吹き付けるような形状で設けられている。この吐出口６１ｂには、内部空間１２側へ空気を流入可能に開放する逆止弁である流入弁６３が設けられている。この流入弁６３は、気圧差により流入口６１ａから流入した空気により押圧されると吐出口６１ｂを開放するような付勢力で吐出口６１ｂを閉じる位置に付勢されている。この流入部６１は、流入口６１ａ側の流入流路６２に、塵埃などの異物を捕集するフィルター６４が配設されており、フィルター６４を通過した空気を内部空間１２へ流入可能となっている。フィルター６４は、異物を捕集可能であればよく、例えば、スポンジ体により異物を捕集するものとしてもよいし、静電気などで異物を捕集するものとしてもよい。
【００２８】
排出部６５は、内部空間１２側に設けられた流出口６５ａと、外部空間側に設けられた排出口６５ｂと、流出口６５ａと排出口６５ｂとを繋ぐ流路である排出流路６６とを有している。流出口６５ａは、イメージセンサー５１よりも大きい幅の矩形のスリット形状に形成されており、イメージセンサー５１の下部に隣接して設けられている。この流出口６５ａには、外部空間側へ空気を排出可能に開放する逆止弁である排出弁６７が設けられている。この排出弁６７は、気圧差により内部空間１２の空気により押圧されると流出口６５ａを開放するような付勢力で流出口６５ａを閉じる位置に付勢されている。排出口６５ｂは、デジタルカメラ２０の筐体１１の下部領域、例えば、デジタルカメラ２０の背面のモニター２８の下方に配設されている。排出流路６６は、流出口６５ａから排出口６５ｂに向かって屈曲した形状に形成されている。また、排出部６５が有する流出口６５ｂは、流入部６１が有する吐出口６１ｂよりも大きく開口している。また、排出部６５が有する流出口６５ｂと流入部６１が有する吐出口６１ｂとは、互いに対向して設けられている。
【００２９】
次に、こうして構成された本実施形態のデジタルカメラ２０の動作について説明する。図３は、レンズ制御部５３により実行される強制排出処理ルーチンの一例を示すフローチャートである。このルーチンは、電源キー３２がオンにされたあとオフにされるまで実行される。このルーチンが開始されると、レンズ制御部５３は、取付部５６に装着されているレンズユニット２１が自動ズーム可能であるか否かを判定する（ステップＳ１００）。自動ズーム可能であるときには、所定の強制排出タイミングであるか否かを判定する（ステップＳ１１０）。ここでは、所定の強制排出タイミングとして、電源ＯＮ直後や、レンズユニット２１が交換された直後、前回の強制排気処理から一定期間（例えば、１日、１週間、１月など）経過後などが定められている。強制排出タイミングでないとき、あるいは、ステップＳ１００で自動ズーム可能でないときには、このままこのルーチンを終了する。
【００３０】
一方、強制排出タイミングであるときには、レンズ制御部５３は、取付部５６に装着されたレンズユニット２１の移動レンズ２２ｂを移動させることにより内部空間１２に圧力変化を生じさせる（ステップＳ１２０）。図４は、強制排出処理でのデジタルカメラ２０の動作の説明図である。図４上段に示すように、初期状態では、レンズユニット２１の移動レンズ２２ｂは、取付部５６側にある。ここで、強制排気タイミングであるときには、レンズ制御部５３が移動レンズ２２ｂを前方へ移動させる。ここでは、レンズ駆動部２４において可能な限り大きな速度で移動レンズ２２ｂを移動させるものとした。このとき、図４中段に示すように、移動レンズ２２ｂの移動により、内部空間１２の体積が増加し、内部空間１２が減圧される。すると、気圧差によって、流入弁６３が開放され、フィルター６４を介して浄化された空気が内部空間１２へ流入する。この流入空気がイメージセンサー５１の全面に当たり、イメージセンサー５１上にある塵埃などの異物を除去することができる。続いて、レンズ制御部５３は、移動レンズ２２ｂを後方へ移動させる。このとき、図４下段に示すように、移動レンズ２２ｂの移動により、内部空間１２の体積が減少し、内部空間１２が加圧される。すると、気圧差によって、排出弁６７が開放され、排出口６５ｂから内部空間１２の空気が外部空間へ流出する。この流出空気により、異物などが内部空間１２から除去される。このように、移動レンズ２２ｂの移動によって、イメージセンサー５１上の異物や内部空間１２内の異物を外部空間へ排出することができる。
【００３１】
なお、レンズ駆動部２４を備えず、マニュアルでレンズ群２２のズーム操作を行う場合であっても、移動レンズ２２ｂの前後移動に応じて、流入部６１から空気が流入し、排出部６５から空気が排出されるから、移動レンズ２２ｂの移動により生じた気圧差により、塵埃などの異物をイメージセンサー５１から除去し、外部空間へ排出することができる。
【００３２】
ここで、本実施形態の構成要素と本発明の構成要素との対応関係を明らかにする。本実施形態のイメージセンサー５１が本発明の撮影センサーに相当し、レンズ制御部５３がレンズ移動制御部に相当する。なお、本実施形態では、デジタルカメラ２０の動作を説明することにより本発明の撮影装置の制御方法の一例も明らかにしている。
【００３３】
以上詳述した本実施形態のデジタルカメラ２０によれば、流入部６１及び排出部６５を備えており、移動レンズ２２ｂの移動に応じて生じた内部空間１２の圧力変化によって内部空間１２から外部空間へ空気を排出する。このため、レンズの移動を利用することにより、内部空間の空気を外部空間へ排出することができ、より簡便な機構によって、内部空間１２内の異物を排出することができる。また、排出部６５の流出口６５ａは、イメージセンサー５１に隣接して内部空間１２に配設されているため、イメージセンサー５１の近傍にある異物を排出しやすい。更に、排出部６５は、逆止弁である排出弁６７を備えているため、外部からの異物の侵入をより抑制することができる。更にまた、流入部６１の吐出口６１ｂは、イメージセンサー５１に隣接して内部空間１２に配設されているため、イメージセンサー５１近傍に存在する異物を排除しやすい。そして、流入部６１は、逆止弁である流入弁６３を備えているため、外部からの異物の侵入をより抑制することができる。そしてまた、流入部６１は、フィルター６４が配設されているため、外部からの異物の侵入をより抑制することができる。そして更に、レンズ制御部５３及びレンズ駆動部２４を利用して、簡便な機構により、自動で内部空間１２内の異物を排出することができる。
【００３４】
なお、本発明は上述した実施形態に何ら限定されることはなく、本発明の技術的範囲に属する限り種々の態様で実施し得ることはいうまでもない。
【００３５】
例えば、上述した実施形態では、排出部６５の流出口６５ａは、イメージセンサー５１に隣接して配設されているものとしたが、イメージセンサー５１に接触した空気が流出口６５ａへ流入する程度に近傍にあるものとすれば、特に限定されず、排出部６５の流出口６５ａとイメージセンサー５１とが接していてもよいし、排出部６５の流出口６５ａとイメージセンサー５１とが接していなくても構わない。あるいは、流出口６５ａは、内部空間１２内の空気を排出可能であれば、イメージセンサー５１の近傍に配設されていなくてもよい。
【００３６】
同様に、流入部６１の吐出口６１ｂは、イメージセンサー５１に隣接して配設されているものとしたが、吐出口６１ｂから流入した空気がイメージセンサー５１に接触する程度に近傍にあるものとすれば、特に限定されず、流入部６１の吐出口６１ｂとイメージセンサー５１とが接していてもよいし、流入部６１の吐出口６１ｂとイメージセンサー５１とが接していなくても構わない。あるいは、吐出口６１ｂは、外部空間の空気を内部空間１２へ導入可能であれば、イメージセンサー５１の近傍に配設されていなくてもよい。
【００３７】
上述した実施形態では、流入口６１ａは、デジタルカメラ２０の上部領域（上面）に設けられているものとしたが、特にこれに限定されず、デジタルカメラ２０の背面や、前面、下面、左面、右面のいずれの面、及び上部領域や、中部領域、下部領域のいずれの領域に設けられていてもよい。排出口６５ｂは、デジタルカメラ２０の下部領域（背面）に設けられているものとしたが、特にこれに限定されず、デジタルカメラ２０の前面や、上面、下面、左面、右面のいずれの面、及び上部領域や、中部領域、下部領域のいずれの領域に設けられていてもよい。
【００３８】
上述した実施形態では、排出部６５が有する流出口６５ａは、流入部６１が有する吐出口６１ｂよりも大きく開口しているものとしたが、特にこれに限定されず、同じ大きさで開口してもよいし、吐出口６１ｂのほうがより大きく開口しているものとしてもよい。
【００３９】
上述した実施形態では、排出部６５は、逆止弁である排出弁６７を備えるものとしたが、特にこれに限定されず、例えば電磁弁など、逆止弁でない弁としてもよいし、これを省略してもよい。また、流入部６１は、逆止弁である流入弁６３を備えるものとしたが、例えば電磁弁など、逆止弁でない弁としてもよいし、これを省略してもよい。また、弁の位置も限定されず、流入口６１ａ、吐出口６１ｂ、流出口６５ａ、排出口６５ｂの位置の他、流路の途中に位置するようにしてもよい。こうしても、内部空間の空気を外部空間へ排出することができる。
【００４０】
上述した実施形態では、流入部６１にはフィルター６４を備えるものとしたが、これを省略してもよい。こうしても、内部空間１２の空気を外部空間へ排出することができる。また、排出部６５にフィルターを備えるものとしてもよい。
【００４１】
上述した実施形態では、流入部６１を備えるものとしたが、これを省略してもよい。こうしても、排出部６５から内部空間１２の空気を外部空間へ排出することはできる。このとき、図５に示すように、排出部６５は、移動レンズ２２ｂの移動により生じる圧力変化によって外部空間から内部空間１２へ空気を流入可能な流入部としても機能するものとしてもよい。図５は、強制排出処理でのデジタルカメラ２０Ｂの動作の説明図である。このデジタルカメラ２０Ｂは、上述した実施形態の排出部６５に相当する強制排出機構６０Ｂを備えている。この強制排出機構６０Ｂは、内部空間１２の空気を流出すると共に外部空間の空気を吐出する吐出流出口６１Ｂと、外部空間の空気を流入すると共に内部空間１２の空気を排出する流入排出口６５Ｂと、流入流路及び排出流路の機能を有する流入排出流路６６Ｂと、外部空間から内部空間１２へ空気を吐出可能に開閉すると共に内部空間１２から外部空間へ空気を排出可能に開閉する流入排出弁６７Ｂとを備えている。吐出流出口６１Ｂは、イメージセンサー５１の下部に隣接しており、内部空間１２内に配設されている。流入排出口６５Ｂは、デジタルカメラ２０の背面の下部領域に設けられている。流入排出弁６７Ｂは、内部空間１２が減圧すると外部空間からの空気の圧力により流入排出口６５Ｂを開放し、内部空間１２が加圧されると内部空間１２の空気の圧力により流入排出口６５Ｂを開放するような付勢力で流入排出口６５Ｂを閉じる位置に付勢されている。そして、移動レンズ２２ｂを前方に移動すると、内部空間１２が減圧し、流入排出弁６７Ｂが内部空間１２側に開放して外部空間から空気が内部空間１２へ流入する（図５中段）。この流入空気がイメージセンサー５１の全面に当たり、イメージセンサー５１上にある塵埃などの異物を除去することができる。続いて、移動レンズ２２ｂを後方へ移動すると、内部空間１２が加圧され、流入排出弁６７Ｂが外部空間側に開放して内部空間１２から外部空間へ空気が流出する（図５下段）。こうしても、レンズの移動を利用することにより、内部空間１２の空気を外部空間へ排出することができ、より簡便な機構によって、内部空間１２内の異物を排出することができる。
【００４２】
上述した実施形態では、レンズ制御部５３は、所定の強制排出タイミングで移動レンズ２２ｂを移動させるものとしたが、特にこれに限定されない。この強制排気タイミングは、上述したもののうち１以上を省略してもよいし、新たなタイミングを上述のタイミングに加えてもよい。また、このレンズ制御部５３による制御を省略してもよい。更に、レンズユニット２１は、レンズ駆動部２４を備え、レンズ制御部５３で移動可能としたが、レンズ駆動部２４やレンズ制御部５３を備えず、手動で移動レンズ２２ｂを移動させるものとしてもよい。こうしても、手動で移動レンズ２２ｂを動かせば、内部空間の空気を外部空間へ排出することができ、より簡便な機構によって、内部空間１２内の異物を排出することができる。
【００４３】
上述した実施形態では、取付部５６にレンズユニット２１を装着するデジタルカメラ２０として説明したが、図６に示すように、レンズユニット２１が筐体１１に固定されたデジタルカメラ２０Ｃとしてもよい。図６は、デジタルカメラ２０Ｃの断面図である。デジタルカメラ２０Ｃは、取り外しできないレンズ部２１Ｃを備えている以外は、上述したデジタルカメラ２０と同様の構成である。このようなデジタルカメラ２０Ｃにおいても、外部からの異物の侵入は少ないが、シャッター５７の動作など、機械的に動作する部分から塵埃などが生成することから、本発明を適用する意義が高い。このように構成されたデジタルカメラ２０Ｃでも、レンズの移動を利用することにより、内部空間の空気を外部空間へ排出することができ、より簡便な機構によって、内部空間内の異物を排出することができる。
【００４４】
上述した実施形態では、本発明をデジタルカメラ２０に適用して説明したが、デジタルビデオカメラに適用してもよいし、デジタルカメラの制御方法としてもよいし、このプログラムとしてもよい。
【符号の説明】
【００４５】
１１  筐体、１２  内部空間、２０，２０Ｂ，２０Ｃ  デジタルカメラ、２１  レンズユニット、２２  レンズ群、２２ａ  固定レンズ、２２ｂ  移動レンズ、２３  絞り機構、２４  レンズ駆動部、２５  表示部、２６  ＥＶＦ、２８  モニター、３０  操作部、３２  電源キー、３４  シャッターキー、３６  メモリーカードコントローラー、４０  メインコントローラー、４２  ＣＰＵ、４３  フラッシュメモリー、４４  ＲＡＭ、４５  Ｉ／Ｆ、５０  撮像部、５１  イメージセンサー、５２  画像生成部、５３  レンズ制御部、５４  ファインダー画像撮像部、５５  撮像機構、５６  取付部、５７  シャッター、６０，６０Ｂ  強制排出機構、６１  流入部、６１ａ  流入口、６１ｂ  吐出口、６１Ｂ  吐出流出口、６２  流入流路、６３  流入弁、６４  フィルター、６５  排出部、６５ａ  流出口、６５ｂ  排出口、６５Ｂ  流入排出口、６６  排出流路、６６Ｂ  流入排出流路、６７  排出弁、６７Ｂ  流入排出弁、ＭＣ  メモリーカード。
【図１】
2012189763.tif 000003
【図２】
2012189763.tif 000004
【図３】
2012189763.tif 000005
【図４】
2012189763.tif 000006
【図５】
2012189763.tif 000007
【図６】
2012189763.tif 000008